(57)【要約】【課題】衣類を干す機能を有する自転車用衣類干し具を提供する。【解決手段】自転車用衣類干し具２は、荷台７０に取り付ける自転車用衣類干し具であって、ハンガー３０と、ハンガー３０の下部に接続する支持具４０を有している。支持具４０は２本の棒である。荷台７０とは独立しており、回動棒４３を軸とし荷台７０に結合している。差込口７２に差し込まれている回動棒４３が回動することにより、自転車用衣類干し具２が展開、収納される。【選択図】図３
2019156377.tif 000002
【特許請求の範囲】
【請求項１】
かご及び／又は荷台に取り付ける自転車用衣類干し具であって、
ハンガーと、該ハンガーの下部に接続する支持具と、を有し、前記支持具はかご及び／又は荷台に取り付けられている自転車用衣類干し具。
【請求項２】
前記支持具は、棒又は板である請求項１に記載の自転車用衣類干し具。
【請求項３】
前記支持具は、上下方向に伸縮可能である請求項１又は請求項２に記載の自転車用衣類干し具。
【請求項４】
前記支持具は、荷台に結合している支持具の下端部である回動軸を軸とし、回動し、折り畳み可能である請求項１乃至３のうちいずれかに記載の自転車用衣類干し具。
【発明の詳細な説明】
【技術分野】
【０００１】  本発明は、自転車において衣類を干す道具に関するものである。
【背景技術】
【０００２】  従来、例えば、取り付けが可能な開閉ができるボックスに雨具を入れ、収納が簡単にできるというものがあったが、雨具が乾かないという課題があった。
【先行技術文献】
【特許文献】
【０００３】
【特許文献１】特開平２００４−２４４００１号公報
【発明の概要】
【発明が解決しようとする課題】
【０００４】  前記特許文献１に記載された雨合羽入れ箱は駐輪場にて雨合羽をかけて乾燥させるスペースが確保できず、雨合羽が乾ききらないという課題があった。【０００５】  上記課題を達成するためになされたものであって自転車に、衣類を干す機能を有する自転車用衣類干し具を提供することを目的とする。
【課題を解決するための手段】
【０００６】  請求項１の自転車用衣類干し具は、かご及び／又は荷台に取り付ける自転車用衣類干し具であって、
ハンガーと、該ハンガーの下部に接続する支持具と、を有し、前記支持具はかご及び／又は荷台に取り付けられている。
また、請求項２の自転車用衣類干し具は、請求項１において、前記支持具は、棒又は板である。
請求項３の自転車用衣類干し具は、請求項１又は２において、前記支持具は、上下方向に伸縮可能である。
請求項４の自転車用衣類干し具は、請求項１乃至３のうちいずれかにおいて、前期支持具は荷台に結合している支持具の下端部である回動軸を軸とし、回動し、折り畳み可能である。
【発明の効果】
【０００７】  請求項１の自転車用衣類干し具は、かご及び／又は荷台にとりつけるハンガーと支持具からなり、使用も単純であるため、干すスペースも確保することができる。
請求項２の自転車用衣類干し具は、前記支持具が二本の支持具からなり、棒及び／又は板状のいずれかであるため簡単な構成で目的は達成できる。
請求項３の自転車用衣類干し具は、普段は小さく収納されているが、伸縮が可能であるため、使う場合のみ伸ばすことができる。
請求項４の自転車用衣類干し具は、荷台に結合している支持具の下端部である回動軸を軸とし、回動し、折り畳みを可能とする。
【図面の簡単な説明】
【０００８】
【図１】本発明の実施例１の衣類干し具の展開後の正面から見た斜視図である。
【図２】本発明の実施例１の衣類干し具の収納後の正面から見た斜視図である。
【図３】本発明の実施例２の衣類干し具の展開後の正面から見た斜視図である。
【図４】本発明の実施例１の衣類干し具の収納後の正面から見た斜視図である。
【発明を実施するための形態】
【０００９】  以下、本発明の実施形態の衣類干し具について、添付図面に基づいて説明する。
【実施例１】
【００１０】  図１に示すように、自転車用衣類干し具１は、かご６０に取り付ける自転車用衣類干し具であって、ハンガー１０と、ハンガー１０の下部に接続する支持具２０がかご６０に取り付けられている。
ハンガー１０は衣類をかけ干すためのハンガーである。
本実施例では、ハンガー１０は湾曲した１本の棒で構成されているが材質は木製、樹脂製、プラスチック製でもよく形状はまっすぐの棒であってもよい。
支持具２０は２本の金属棒である。
支持具２０は内部の筒２１と外部の筒２２から構成されており、内部の筒２１が外部の筒２２に出入りすることにより伸縮が可能となり、自転車用衣類干し具１の展開、収納が可能となる。
支持具２０はかご固定部６１とかご接続部６２にねじを用いて固定する。
本実施例では、支持具２０は２本の金属棒で形成されているが、材質は木製、樹脂製、プラスチック製でもよく形状は板状のものであってもよい。
金具６３はかご６０を自転車本体に結合するための部品である。
本実施例では、金具６３の材質は金属であるが、材質は木製、樹脂製、プラスチック製でもよい。
（使用方法）
自転車用衣類干し具１が収納されている図２の状態からまずは、支持具２０で外部の筒２２から内部の筒２１を引き出すことにより、自転車用衣類干し具１を伸ばす（図１参照）。そして、ハンガー１０に衣類を掛ける。収納する際は、前記の逆の順序で行う。
【実施例２】
【００１１】  図３に示すように、自転車用衣類干し具２は、荷台７０に取り付ける自転車用衣類干し具であって、ハンガー３０と、ハンガー３０の下部に接続する支持具４０を有している。支持具４０は２本の棒である。荷台７０とは独立しており、回動棒４３を軸とし荷台７０に結合している。差込口７２に差し込まれている回動棒４３が回動することにより、自転車用衣類干し具２が展開、収納される。
ストッパー７１は、回動棒４３がストッパー７１につっかえることにより自転車用衣類干し具２が９０°に保持し続ける機能を有するためのストッパーである。
図４に示すように、支持具４０を構成している内部の筒４１と外部の筒４２の機能により、支持具４０を小さく収納することができる。
荷台７０は椅子接続部７３を椅子に取り付けたり、荷台固定部７４を自転車の後輪の軸部付近に接続することによって、荷台７０を固定することができる。
洗濯ばさみ５０は、ハンガー３０に衣類をかけ干す際に衣類を固定する機能を有する洗濯ばさみ５０である。
本実施例では、洗濯ばさみ５０は市販の金属製を使用しているが、材質は木製、樹脂製、プラスチック製でもよく、形状に限定はない。
本実施例では、支持具４０は２本の金属棒で形成されているが、材質は木製、樹脂製、プラスチック製でもよく、形状は板状のものであってもよい。
本実施例では、ハンガー３０は一本の金属棒で形成されているが、材質は木製、樹脂製、プラスチック製でもよく、形状は湾曲していてもよい。【００１２】  （使用方法）
自転車用衣類干し具２が収納されている図４の状態からまずは、回動棒４３を回動させて自転車用衣類干し具を９０°立たせ、支持具４０で外部の筒４２から内部の筒４１を引き出すことにより、自転車用衣類干し具２を伸ばす（図３参照）。そこに、ハンガー３０や洗濯ばさみ５０に衣類を掛けたり干したりできる。収納する際は、前記の逆の順序で行う。
【符号の説明】
【００１３】  １，２  自転車用衣類干し具
１０  ハンガー
２０  支持具
２１  内部の筒
２２  外部の筒
３０  ハンガー
４０  支持具
４１  内部の筒
４２  外部の筒
４３  回動棒
５０  洗濯ばさみ
６０  かご
６１  かご固定部
６２  かご接続部
６３  金具
７０  荷台
７１  ストッパー
７２  差込口
７３  椅子接続部
７４  荷台固定部
【図１】
2019156377.tif 000003
【図２】
2019156377.tif 000004
【図３】
2019156377.tif 000005
【図４】
2019156377.tif 000006